(57)【要約】    【課題】  装置を大型化することなく、出力アイ品質を改善することを可能とする。    【解決手段】  レーザ送信機１０は、入力段１２、制限増幅器１４、振幅／コモンモード制御回路１６、レーザドライバ１８、レーザダイオード２０を有する。入力段１２は、受信した第１の信号ＩＮ+、ＩＮ-に応答して安定した電圧揺動を有する第２の信号Ｖｉｎ+、Ｖｉｎ-を生成する。制限増幅器１４は、入力した第２の信号に対し、改善された立ち上がり時間及び立ち下がり時間と、制御回路１６から出力される制御信号で規定される振幅特性とを有する第３の信号Ｖｏｕｔ+、Ｖｏｕｔ-を出力する。レーザドライバ１８は、入力した第３の信号に応答して第４の信号を生成し、この第４の信号に基づいてレーザダイオード２０が発光する。    【選択図】    図１
2005086832.tif 000002
【特許請求の範囲】
【請求項１】
第１の信号を受信し、前記第１の信号に応答して安定した電圧揺動を有する第２の信号を生成する入力段と、
制御信号を生成する制御回路と、
制限増幅器であって、
前記第２の信号を受信する入力端子と、
前記制御信号を受信する制御端子と、
前記第２の信号に対し改善された立ち上がり時間及び立ち下がり時間（ａ）と、前記制御信号で規定される振幅特性（ｂ）とを有する第３の信号を出力する出力端子と
を有する制限増幅器と、
前記第３の信号を受信し、前記第３の信号に応答して第４の信号を生成するレーザドライバと、
前記第４の信号を受信し、前記第４の信号に応答して光を生成する光源と
を備えることを特徴とするレーザ送信器。
【発明の詳細な説明】
【技術分野】
【０００１】
本発明は、光ファイバレーザ送信器に関する。
【背景技術】
【０００２】
光ファイバ送信器の速度が１Ｇｂｐｓ（ギガビット／秒）を超えるにつれ、既存のＶＣＳＥＬ（垂直キャビティ面発光レーザ）を母体とする光ファイバ送信器は、レーザ駆動回路とレーザダイオードとの間の相互作用によりレーザ出力信号のアイ品質の劣化を生じていた。レーザ出力品質は主にレーザ駆動回路とレーザダイオードとの間のインピーダンス整合に依存するので、出力のアイ品質を改善する従来の方法はレーザ駆動回路とレーザとの間の整合回路網を使用するものであった。この種の整合回路網は、インピーダンスの不整合を補償し、かくして出力アイ品質を改善するものである。
【発明の開示】
【発明が解決しようとする課題】
【０００３】
しかしながら、整合回路網はオンチップ又はオフチップの整合小回路網の大きさが原因で、並列或いは多チャンネルアプリケーションにおける光ファイバ送信器にとって望ましくないものである。さらに、その整合回路網は、チャンネル間や部品間に存在する不規則変動の影響を補償することはできない。
【０００４】
かくして必要になるのが、上記定した問題に対処する方法と装置である。
【課題を解決するための手段】
【０００５】
本発明の一実施形態では、レーザ送信器の較正方法は、（ａ）前記レーザ送信器からの出力アイダイヤグラムを検出するステップと、（ｂ）前記アイダイヤグラムが許容できるか否かを判定するステップと、（ｃ）前記アイダイヤグラムが許容できない場合に、前記レーザ送信器内の制御信号の値を変更するステップであって、前記制御信号が前記レーザ送信器内のレーザドライバに結合した制限増幅器の振幅特性を設定するステップと、（ｄ）前記アイダイヤグラムが許容できるようになるまで、前記ステップ（ａ），（ｂ），（ｃ）を繰り返すステップとを含む。
【発明を実施するための最良の形態】
【０００６】
図１は、本発明の一実施形態のレーザ送信器１０を示す。レーザ送信器１０は、従来の入力段１２と、制限増幅器１４と、振幅／コモンモード制御回路１６と、従来のレーザドライバ１８と、従来のレーザダイオード２０を含む。単一のチャンネルレーザ送信器として例示したが、当業者には多チャンネルレーザ送信器がこの種の構造を反復して構成できることが判るものである。
【０００７】
入力段１２は、非反転入力端子と反転入力端子とを有し、それぞれは入力電圧信号ＩＮ+とＩＮ-を受けるよう、入力段１２に接続されている。入力段１２は、変動する電圧揺動を有し得る入力電圧信号ＩＮ+，ＩＮ-に応答して安定な電圧揺動をもった出力電圧信号Ｖｉｎ+，Ｖｉｎ-を供給する。
【０００８】
制限増幅器１４は、非反転入力端子と反転入力端子とを有し、これらの入力端子は、入力段１２の非反転出力端子および反転出力端子にそれぞれ結合されている。さらに、制限増幅器１４は、振幅／コモンモード制御回路１６が有する１以上の出力端子に結合した１以上の制御端子を有する。制限増幅器１４は、入力段１２全体に大して、あるゲインをもたらす。かくして、制限増幅器１４は、入力電圧信号Ｖｉｎ+，Ｖｉｎ-に対し改善された立ち上がり時間と立ち下がり時間を有する出力電圧信号Ｖｏｕｔ+，Ｖｏｕｔ-を生成する。制限増幅器１４はまた、制御回路１６から受信した１以上の制御信号Ｄｉ（Ｄ１、Ｄ２、…）により規定されるレベルを有する電圧信号Ｖｏｕｔ+，Ｖｏｕｔ-を保持する。さらに、制限増幅器１４は、出力電圧信号Ｖｏｕｔ+，Ｖｏｕｔ-のコモンモード電圧を、ディジタル制御信号Ｄｉで規定される量で変化させるレベルシフトをもたらすことができる。一実施形態では、制御回路１６には制御信号Ｄｉを記憶し出力するレジスタ２２が含まれる。
【０００９】
図２は、本発明の一実施形態の制限増幅器１４の回路図である。制限増幅器１４には、可変抵抗器３７，３８，４０とプログラム可能な電流源４２とによりディジタル的に較正される差動対３２が含まれる。差動対３２は、バイポーラトランジスタ３２Ａ、３２Ｂを有し、それぞれのトランジスタは差動入力を受けるベースを有し、両者のエミッタは共通のノードに結合されている。
【００１０】
一実施形態では、可変抵抗器３７，３８，４０は電圧制御抵抗器（ＶＣＲ）である。ＶＣＲ３７は、レールに結合される入力端子とＶＣＲ３８，４０が並列結合される出力端子とを有する。ＶＣＲ３８，４０は、バイポーラトランジスタ３２Ａ，３２Ｂの対応するコレクタに結合した出力端子を有する。電流源３４，３６は、バイポーラトランジスタ３２Ａ，３２Ｂの対応するコレクタに結合される入力端子と対応出力電圧信号Ｖｏｕｔ+，Ｖｏｕｔ-を供給する出力端子とを有する。プログラム可能な電流源４２は、バイポーラトランジスタ３２Ａ，３２Ｂのエミッタが並列結合される入力端子とグラウンドに結合される出力端子とを有する。ＶＣＲ３７，３８，４０の抵抗値は、制限増幅器１４の、ピーク間振幅やピーク振幅やコモンモード等の振幅特性を変更するために調節される。さらに、プログラム可能な電流源４２の吸い込み電流は、制限増幅器１４の出力振幅特性を変えるために調整することができる。
【００１１】
一実施形態では、ＶＣＲ３７は直列結合された４個の抵抗器と、それらの抵抗器に対応して並列に結合された４個のバイパストランジスタとを含み、それ故にそれらのバイパストランジスタを導通させることで抵抗器をバイパスさせることができる。バイパストランジスタは、ディジタル制御信号Ｄ１，Ｄ２，Ｄ３，Ｄ４により制御されてＶＣＲ３７の抵抗値が設定される。
【００１２】
一実施形態では、ＶＣＲ３８，４０のそれぞれは、直列結合された４個の抵抗器と、それらの抵抗器に対応して並列に結合された３個のバイパストランジスタを含み、それ故にそれらのバイパストランジスタを導通させることで抵抗器をバイパスさせることができる。バイパストランジスタは、ディジタル制御信号Ｄ５，Ｄ６，Ｄ７により制御されてＶＣＲ３８，４０の抵抗値が設定される。
【００１３】
一実施形態では、プログラム可能な電流源４２には、それらのドレインをバイポーラトランジスタ３２Ａ，３２Ｂのエミッタに並列接続されて差動対３２からの電流を吸い込む４個のトランジスタが含まれる。トランジスタは、ディジタル制御信号Ｄ８，Ｄ９，Ｄ１０，Ｄ１１により制御されて差動対３２から吸い込む電流量が設定される。
【００１４】
図１に戻ってこれを参照するに、レジスタ２２はディジタル制御信号Ｄ１〜Ｄ１１の値を記憶する。レジスタ２２は、ＶＣＲ３７，３８，４０およびプログラム可能電流源４２へディジタル制御信号Ｄ１〜Ｄ１１を出力し、制限増幅器１４の振幅特性を設定する。
【００１５】
レーザドライバ１８は、その非反転入力端子と反転入力端子をそれぞれ制限増幅器１４の非反転出力端子と反転出力端子へ結合してある。レーザドライバ１８は、入力電圧信号Ｖｏｕｔ+，Ｖｏｕｔ-をレーザダイオード２０の駆動電流へ変換する。一実施形態では、レーザダイオード２０は垂直キャビティ面発光レーザ（ＶＣＳＥＬ）である。
【００１６】
ディジタル制御信号Ｄ１〜Ｄ１１により制御される制限増幅器１４の適切な出力振幅と適切なコモンモードの選択により最適出力アイパターンが達成されることが、シミュレーションや試験によって判明した。制限増幅器１４の出力振幅が最適値よりも大であるときは、その残りの部分が出力アイパターンのオーバーシュート及び／又はアンダーシュートに寄与する。制限振幅１４の出力振幅が余りに小さいときは、制限増幅器１４はレーザドライバ１８を適切に駆動することはできない。これにより、レーザ出力の立ち上がり時間および立ち下がり時間が延び、それが出力アイパターンの品質を劣化させる。
【００１７】
図３Ａ，３Ｂ，３Ｃは、本発明の一実施形態において以下の表１に掲載したディジタル制御信号Ｄ１〜Ｄ７を用いて生成した制限増幅器１４からの差動出力電圧Ｖの図である。図示はしていないが、当業者にはディジタル信号Ｄ８〜Ｄ１１を変化させても制限増幅器１４の振幅とコモンモードを切り替えることができることが判るものである。
【００１８】
【表１】
2005086832.tif 000003
図３Ａ中、線Ａはディジタル制御信号Ｄ１〜Ｄ７を第１組の値に設定したときの出力電圧Ｖ（Ｖｏｕｔ+−Ｖｏｕｔ-）とコモンモードＡ’を示す。線Ｂは、ディジタル制御信号Ｄ１〜Ｄ７を第２組の値へ切り替えたときの出力電圧ＶとコモンモードＢ’を示す。ＶＣＲ３８，４０の抵抗を減少させることで、制限増幅器１４のピーク振幅は４単位Ａから３単位Ａへ減る（ここで、単位Ａは任意の単位である）。その結果、コモンモードＢ’はコモンモードＡ’よりも大となる。
【００１９】
図３Ｂ中、線Ｃはディジタル制御信号Ｄ１〜Ｄ７を第３組の値へ切り替えたときの出力電圧ＶとコモンモードＣ’を示す。ＶＣＲ３７の抵抗を増加させることで、制限増幅器１４のピーク振幅は１単位Ｂだけ減る（ここで、単位Ｂは任意の単位である）。その結果、コモンモードＣ’はコモンモードＡ’未満となる。
【００２０】
図３Ｃ中、線Ｄは、ディジタル制御信号Ｄ１〜Ｄ７が第４組の値へ切り替えたときの出力電圧ＶとコモンモードＤ’を示す。ＶＣＲ３７の抵抗をさらに増加させることで、制限増幅器１４のピーク振幅は２単位Ｂだけ減る。ＶＣＲ３８，３９の抵抗値をさらに減少させることで、制限増幅器１４のピーク間振幅揺動は３単位Ａから２単位Ａへ減る。その結果、コモンモードＤ’はコモンモードＡ’未満となる。ディジタル制御信号Ｄ１〜Ｄ１１を変化させることで、一定範囲のピーク間振幅とピーク振幅とコモンモードを達成することができる。
【００２１】
図４は、本発明の一実施形態の制限増幅器１４の出力振幅の最適値較正に用いるシステム５０の図である。システム５０は、オシロスコープ５４に接続した出力ファイバを有するレーザ送信器１０を含む。オシロスコープ５４は、コンピュータ５６にアイマスク余裕を出力するプログラムを含む。コンピュータ５６は、アイマスク余裕が許容値に達するまで、制限増幅器１４の振幅特性を変化させるプログラムを含む。
【００２２】
図５は、本発明の一実施形態のレーザ送信器１０を較正するシステム５０を用いる方法６０のフローチャートである。ステップ６２において、レーザ送信器１０からの出力ファイバを、アイマスク余裕プログラムを有するオシロスコープ５４へ接続する。レーザ送信器１０は、そこで不規則データの送信を開始する。レジスタ２２内のディジタル制御信号Ｄ１〜Ｄ１１の既定値を用い、制限増幅器１４の出力振幅を制御する。
【００２３】
ステップ６４において、オシロスコープ５４はアイマスク余裕をコンピュータ５６へダウンロードする。
【００２４】
ステップ６６において、コンピュータ５６はアイマスク余裕が許容値に達したかどうか判定する。アイマスク余裕が許容値に達していない場合、そのときはステップ６６の後にステップ６８が続く。アイマスク余裕が許容値に達した場合、そのときはステップ６６の後にステップ７０が続き、そこで方法６０は終了する。
【００２５】
ステップ６８において、コンピュータ５６はレジスタ２２にディジタル制御信号Ｄ１〜Ｄ１１の新たな値を書き込む。コンピュータ５６は、ディジタル制御信号Ｄ１〜Ｄ１１の値をインクリメント或いはデクリメントすることができる。ステップ６８の後にはステップ６４が続き、コンピュータ５６が許容アイマスク余裕を生成するディジタル制御信号Ｄ１〜Ｄ１１の最適値を判定するまで方法６０は繰り返される。
【００２６】
図６は、本発明の一実施例のレーザ送信器１０’を示す。レーザ送信器１０’はレーザ送信器１０に類するものであり、それらの共通要素は同一の参照符号を共有する。レーザ送信器１０’には、従来の入力段１２と制限増幅器１４’と振幅／コモンモード制御回路１６’と従来のレーザドライバ１８と従来のレーザダイオード２０が含まれる。
【００２７】
振幅／コモンモード制御回路１６’には、１以上の制御信号Ｄｉを記憶しディジタル／アナログ変換器（ＤＡＣ）２４へ出力するレジスタ２２’が含まれる。ＤＡ変換器２４は、ディジタル制御信号Ｄｉを１以上のアナログ制御信号Ａｉへ変換する。ＤＡ変換器２４は、制限増幅器１４’へアナログ制御信号Ａｉを出力して、ピーク間振幅やピーク振幅やコモンモード等のその振幅特性を制御する。
【００２８】
図７は、本発明の一実施形態に係る制限増幅器１４’の回路図である。制限増幅器１４’は、ＶＣＲ３７’，３８’，４０’とプログラム可能な電流源４２’とにより較正される差動対３２を含む。制限増幅器１４’は、ＶＣＲ３７’，３８’，４０’とプログラム可能電流源４２’を除き、前述した図２の制限増幅器１４と同様に構成してある。
【００２９】
一実施形態では、ＶＣＲ３７’は、抵抗器と当該抵抗器に並列結合された一つのバイパストランジスタとを含み、それ故にバイパストランジスタのゲート電圧を制御することで抵抗器に対して可変量の電流でバイパスさせることができる。バイパストランジスタのゲートは、アナログ電圧信号Ａ１に結合してあって、ＶＣＲ３７’の抵抗値が設定される。
【００３０】
一実施形態では、ＶＣＲ３８’，４０’は直列に結合された二つの抵抗器と、対応する抵抗器に並列結合された一つのバイパストランジスタとをそれぞれが含み、それ故にバイパストランジスタのゲート電圧を制御することで可変量の電流を抵抗器に対してバイパスさせることができる。両バイパストランジスタのゲートはアナログ電圧信号Ａ５に結合してあって、ＶＣＲ３８’，４０’の抵抗値を設定することができる。
【００３１】
一実施形態では、プログラム可能な電流源４２’にはそのドレインがバイポーラトランジスタ３２Ａ，３２Ｂのエミッタに結合されていて差動対３２から電流を吸い込む一つのトランジスタが含まれる。トランジスタのゲートはアナログ電圧信号Ａ８に結合されていて、差動対３２から吸い込む電流量が設定することができる。
【００３２】
レジスタ２２’内でディジタル制御信号Ｄｉを変化させることで、制限増幅器１４’の振幅とコモンモードは最適出力アイパターンを得るべく修正することができる。図４のシステム５０と図５の方法６０は、前述のレーザ送信器１０’の較正に用いることができる。
【００３３】
このように、本発明では出力アイ品質を改善するのに外部或いは内部整合回路網を必要としない。加えて、ディジタル制御は、製造期間中の最初のプログラミング段において各チャンネルごとの最適値をプログラムすることができる。この個別プログラミングは、部品間、あるいはチャンネル間の不規則なばらつきを補償することができる。
【００３４】
開示した実施形態の他の様々な適合ならびに組み合わせは、本発明の範囲内にある。多数の実施形態が、特許請求の範囲により包含される。
【００３５】
なお、本発明は例として次の態様を含む。（  ）内の数字は添付図面の参照符号に対応する。
［１］
第１の信号を受信し、前記第１の信号に応答して安定した電圧揺動を有する第２の信号を生成する入力段（１２）と、
制御信号（Ｄｉ；Ａｉ）を生成する制御回路（１６）と、
制限増幅器（１４；１４’）であって、
前記第２の信号を受信する入力端子と、
前記制御信号を受信する制御端子と、
前記第２の信号に対し改善された立ち上がり時間及び立ち下がり時間（ａ）と、前記制御信号で規定される振幅特性（ｂ）とを有する第３の信号を出力する出力端子と
を有する制限増幅器と、
前記第３の信号を受信し、前記第３の信号に応答して第４の信号を生成するレーザドライバ（１８）と、
前記第４の信号を受信し、前記第４の信号に応答して光を生成する光源と
を備えることを特徴とするレーザ送信器。
［２］
前記制御信号が前記第３の信号のコモンモードを設定することを特徴とする上記［１］に記載のレーザ送信器。
［３］
前記制御信号が前記第３の信号のピーク振幅を設定することを特徴とする上記［１］に記載のレーザ送信器。
［４］
前記制御回路（１６）は、ディジタル制御信号を記憶して前記制限増幅器（１４）へ出力するためのレジスタ（２２）を具備することを特徴とする上記［１］に記載のレーザ送信器。
［５］
前記制限増幅器が、
レールに結合される入力端子を有する第１の可変抵抗器（３７）と、
前記第１の可変抵抗器の出力端子に結合される入力端子を有する第２の可変抵抗器（３８）と、
前記第１の可変抵抗器の出力端子に結合される入力端子を有する第３の可変抵抗器（４０）と、
差動対（３２）であって、
前記第２の可変抵抗器の出力端子に結合されるコレクタと、前記第２の信号を受信するよう結合されるベースとを有する第１のバイポーラトランジスタと、
前記第３の可変抵抗器の出力端子に結合されるコレクタを有する第２のバイポーラトランジスタと
を具備する前記差動対と、
前記第１のバイポーラトランジスタのコレクタに結合される第１の入力端子と、前記第３の信号を出力する出力端子とを有する電流源と
を備えることを特徴とする上記［４］に記載のレーザ送信器。
［６］
前記第１、第２、第３の可変抵抗器のうち、少なくとも一つが前記ディジタル制御信号に結合される制御端子を有することを特徴とする上記［５］に記載のレーザ送信器。
［７］
前記第１、第２、第３の可変抵抗器が電圧制御抵抗器を備えることを特徴とする上記［６］に記載のレーザ送信器。
［８］
前記第１および第２のバイポーラトランジスタのエミッタに結合される入力端子を有するプログラム可能な電流源（４２；４２’）をさらに備え、
前記第１、第２、第３の可変抵抗器と、前記プログラム可能な電流源とが、前記ディジタル制御信号を受信するように結合される制御端子を有することを特徴とする上記［５］に記載のレーザ送信器。
［９］
前記制御回路（１６’）が、
ディジタル制御信号を記憶するレジスタ（２２’）と、
前記ディジタル制御信号を受信し、前記制限増幅器（１４’）に対しアナログ制御信号を生成するディジタル／アナログ変換器（ＤＡＣ）（２４）を備えることを特徴とする上記［１］に記載のレーザ送信器。
［１０］
前記制限増幅器が、
レールに結合される入力端子を有する第１の可変抵抗器（３７’）と、
前記第１の可変抵抗器の出力端子に結合される入力端子を有する第２の可変抵抗器（３８’）と、
前記第１の可変抵抗器の出力端子に結合される入力端子を有する第３の可変抵抗器（４０’）と、
差動対（３２）であって、
前記第２の可変抵抗器の出力端子に結合されるコレクタと、前記第２の信号を受信するよう結合されるベースとを有する第１のバイポーラトランジスタと、
前記第３の可変抵抗器の出力端子に結合されるコレクタを有する第２のバイポーラトランジスタと
を具備する差動対と、
電流源（３４）であって、
前記第１のバイポーラトランジスタのコレクタに結合される第１の入力端子と、
前記第３の信号を出力する出力端子と
を有する電流源と
を備えることを特徴とする上記［９］に記載のレーザ送信器。
［１１］
前記第１、第２、第３の可変抵抗器のうち、少なくとも一つはアナログ制御信号が結合される制御端子を有することを特徴とする上記［１０］に記載のレーザ送信器。
［１２］
前記第１、第２、第３の可変抵抗器のうち、少なくとも一つは電圧制御抵抗器を備えることを特徴とする上記［１１］に記載のレーザ送信器。
［１３］
前記第１及び第２のバイポーラトランジスタのエミッタに結合される入力端子を有するプログラム可能な電流源（４２’）をさらに備え、
前記第１、第２、第３の可変抵抗器および前記プログラム可能な電流源のうちの少なくとも一つが前記アナログ制御信号を受信するよう結合される制御端子を有することを特徴とする上記［１０］に記載のレーザ送信器。
［１４］
レーザ送信器の較正方法であって、
（ａ）前記レーザ送信器からの出力アイダイヤグラムを検出するステップと、
（ｂ）前記アイダイヤグラムが許容できるか否かを判定するステップと、
（ｃ）前記アイダイヤグラムが許容できない場合に、前記レーザ送信器内の制御信号の値を変更するステップであって、前記制御信号は前記レーザ送信器内のレーザドライバに結合される制限増幅器の振幅特性を設定する、前記変更するステップと、
（ｄ）前記アイダイヤグラムが許容できるようになるまで、前記ステップ（ａ），（ｂ），（ｃ）を繰り返すステップと
を有することを特徴とする方法。
［１５］
前記制御信号が、前記制限増幅器のコモンモードの設定をすることを特徴する上記［１４］に記載の方法。
［１６］
前記制御信号が、前記制限増幅器のピーク振幅を設定することを特徴とする上記［１４］記載の方法。
［１７］
前記出力アイダイヤグラムを検出するステップが、
前記レーザ送信器の出力をオシロスコープに結合するステップであって、前記オシロスコープがアイマスク余裕を生成する、結合するステップと、
前記オシロスコープからコンピュータへ前記アイマスク余裕をダウンロードするステップと
を有することを特徴とする上記［１４］に記載の方法。
［１８］
前記アイダイヤグラムが許容できるか否かを判定するステップが、
前記コンピュータを用いて前記アイマスク余裕が許容値に達したかどうかを判定するステップを有することを特徴とする上記［１７］に記載の方法。
［１９］
前記制御信号の値を変更するステップが、
前記制御信号の値のインクリメントとデクリメントの少なくともいずれかを行うことを特徴とする上記［１４］に記載の方法。
【図面の簡単な説明】
【００３６】
【図１】本発明の一実施形態になるレーザ送信器を示すブロック図である。
【図２】本発明の一実施形態に係る図１のレーザ送信器内の制限増幅器を示す回路図である。
【図３Ａ】本発明の一実施形態に係る図１の制限増幅器からの出力電圧を示す図である。
【図３Ｂ】本発明の一実施形態に係る図１の制限増幅器からの出力電圧を示す図である。
【図３Ｃ】本発明の一実施形態に係る図１の制限増幅器からの出力電圧を示す図である。
【図４】本発明の一実施形態に係る図１のレーザ送信器の較正に用いるシステムを示す図である。
【図５】本発明の一実施形態に係るレーザ送信器較正方法のフローチャートである。
【図６】本発明の別の実施形態に係るレーザ送信器のブロック線図である。
【図７】本発明の別の実施形態に係る図６のレーザ送信器の制限増幅器を示す回路図である。
【符号の説明】
【００３７】
１０，１０’  レーザ送信器
１２  入力段
１４，１４’  制限増幅器
１６，１６’  振幅／コモンモード制御回路
１８  レーザドライバ
２０  レーザダイオード
２２，２２’  レジスタ
２４  ＤＡ変換器
３２  差動対
３２Ａ，３２Ｂ  バイポーラトランジスタ
３４，３６  電流源
３７，３８，４０，３７’，３８’，４０’  可変抵抗器
４２，４２’  プログラム可能な電流源
５０  システム
５４  オシロスコープ
５６  コンピュータ
６０  方法
【図１】
2005086832.tif 000004
【図２】
2005086832.tif 000005
【図３Ａ】
2005086832.tif 000006
【図３Ｂ】
2005086832.tif 000007
【図３Ｃ】
2005086832.tif 000008
【図４】
2005086832.tif 000009
【図５】
2005086832.tif 000010
【図６】
2005086832.tif 000011
【図７】
2005086832.tif 000012